(57)【特許請求の範囲】
【請求項１】
紙おむつ（５０）の廃棄時に紙おむつを丸めた状態で保持するための後処理テープ（Ｙ）であって、
基部側となる第１帯片（１）と中間部側となる第２帯片（２）と先部側となる第３帯片（３）とを有し、
前記第１帯片（１）と前記第２帯片（２）と前記第３帯片（３）は、それぞれ個別に裁断され且つそれぞれ片面全面に粘着剤（１１，１２，１３，１４）を付着させたもので、前記粘着剤付着面同士を接合させると両帯片が強固に接着される一方で該粘着剤付着面と粘着剤非付着面を接合させると両帯片がある程度の保持力をもって接着されるものの比較的容易に剥離できる程度の接着力を有したものであり、
前記第１帯片（１）の一端部の粘着剤付着面と前記第２帯片（２）の一端寄り中間部の粘着剤付着面とを接着させ、前記第２帯片（２）の他端部の粘着剤付着面と前記第３帯片（３）の一端部の粘着剤付着面とを接着させて、前記第１帯片（１）と第２帯片（２）と第３帯片（３）とを順次屈伸可能なる状態でＺ状に連結し、
前記第２帯片（２）が前記第１帯片（１）から起立する起立点部（Ｐ）に、該第１帯片（１）の延出方向とは反対側に延出する所定長さの補強帯片（４）を前記第２帯片（２）から一体に延出させ、
前記第１帯片（１）と前記補強帯片（４）における第３帯片側とは反対面の各面と前記第３帯片（３）における第２帯片に対面する面に、それぞれ各帯片（１，４，３）を紙おむつ外面に接着させる粘着剤付着面を位置させている、
ことを特徴とする紙おむつの後処理テープ。
【請求項２】
請求項１において、
第２帯片（２）の起立点部（Ｐ）から第１帯片（１）側の端部（１ａ）までの長さ（Ｌ1）と、前記起立点部（Ｐ）から補強帯片（４）側の端部（４ａ）までの長さ（Ｌ2）との関係を、２・Ｌ2≦Ｌ1≦３・Ｌ2に設定するとともに、前記長さ（Ｌ2）を１５mm〜２５mmの範囲に設定している、
ことを特徴とする紙おむつの後処理テープ。
【請求項３】
紙おむつ（５０）の廃棄時に紙おむつを丸めた状態で保持するための後処理テープ（Ｙ）を取付けた後処理テープ付き紙おむつであって、
前記後処理テープ（Ｙ）は、基部側となる第１帯片（１）と中間部側となる第２帯片（２）と先部側となる第３帯片（３）とを有し、さらに前記第１帯片（１）と前記第２帯片（２）と前記第３帯片（３）は、それぞれ個別に裁断され且つそれぞれ片面全面に粘着剤（１１，１２，１３，１４）を付着させたもので、前記粘着剤付着面同士を接合させると両帯片が強固に接着される一方で該粘着剤付着面と粘着剤非付着面を接合させると両帯片がある程度の保持力をもって接着されるものの比較的容易に剥離できる程度の接着力を有したものであり、しかも前記第１帯片（１）の一端部の粘着剤付着面と前記第２帯片（２）の一端寄り中間部の粘着剤付着面とを接着させ、前記第２帯片（２）の他端部の粘着剤付着面と前記第３帯片（３）の一端部の粘着剤付着面に接着させて、前記第１帯片（１）と第２帯片（２）と第３帯片（３）とを順次屈伸可能なる状態でＺ状に連結し、前記第２帯片（２）が前記第１帯片（１）から起立する起立点部（Ｐ）に該第１帯片（１）の延出方向とは反対側に延出する所定長さの補強帯片（４）を前記第２帯片（２）から一体に延出させたものを使用し、
前記後処理テープ（Ｙ）の第１帯片（１）及び補強帯片（４）を、紙おむつ外面（５１）のウエスト側縁部（５２）寄り位置において上下に向く姿勢で紙おむつ外面（５１）にそれぞれ粘着剤（１１，１４）で接着させている、
ことを特徴とする後処理テープ付き紙おむつ。
【請求項４】
請求項３において、
第２帯片（２）の起立点部（Ｐ）から第１帯片（１）側の端部（１ａ）までの長さ（Ｌ1）と、前記起立点部（Ｐ）から補強帯片（４）側の端部（４ａ）までの長さ（Ｌ2）との関係を、２・Ｌ2≦Ｌ1≦３・Ｌ2に設定する一方、
前記起立点部（Ｐ）から補強帯片（４）側の端部（４ａ）までの長さ（Ｌ2）を１５mm〜２５mmの範囲に設定しているとともに、
後処理テープ（Ｙ）は、第３帯片（３）と第２帯片（２）とを直線状に伸展させたときの起立点部（Ｐ）から第３帯片（３）の先端（３ａ）までの伸展長さ（Ｌ5）を、紙おむつに取付た後処理テープ（Ｙ）の起立点部（Ｐ）の取付け位置からウエスト側縁部（５２）までの長さ（Ｍ3）より５mm〜１２０mmだけ長くなるように設定している、
ことを特徴とする後処理テープ付き紙おむつ。
【発明の詳細な説明】
【０００１】
【発明の属する技術分野】
【０００２】
本願発明は、紙おむつの廃棄時に紙おむつを丸めた状態で保持するための紙おむつの後処理テープ及び該後処理テープを紙おむつ外面に取付けた後処理テープ付き紙おむつに関するものである。尚、本願で用いられる紙おむつとしては、パンツ型のものやフラット型（装着時に左右両側部を止着テープで止める形式）のものがある。
【従来の技術】
【０００３】
従来から、紙おむつの中には、図１に示すように紙おむつ外面５１に、紙おむつ廃棄時に使用する後処理テープＹを取付けたものがある。ところで、従来の一般的な後処理テープＹは、基部側の第１帯片と中間部側の第２帯片と先部側の第３帯片とを順次１列に連結するとともに、第１〜第３の各帯片をＺ状に折畳んだ状態で、紙おむつ外面５１のウエスト側縁部５２寄り位置に上下に向く姿勢で接着させている。
【０００４】
即ち、第１〜第３の各帯片にはそれぞれ片面に粘着剤を付着させており、各帯片の端部同士を順次接着させて一連の後処理テープＹを構成し、各帯片をＺ状に折畳んだ状態で第１帯片の粘着剤付着面を紙おむつ外面に接着させている。
【０００５】
図１に示す後処理テープ付き紙おむつの後処理テープＹは、次のように使用される。即ち、紙おむつ廃棄時には、図２に示すように、排泄物で汚れている股部側を内側に巻き込むようにして紙おむつを丸め、後処理テープＹの先端ツマミ片を外方に引っ張って、第２帯片と第３帯片とを直線状に伸展させ、該伸展部分の帯片を緊張させながら、第３帯片の粘着剤付着面を丸めた紙おむつのウエスト側縁部５２を超えて紙おむつ外面５１に接着させる。このようにすると、後処理テープＹにより、紙おむつを丸めた状態で保持でき、廃棄時に汚れ部分が手に触れないので衛生的に処理できる。
【発明が解決しようとする課題】
【０００６】
ところで、従来の後処理テープＹでは、使用時に第２帯片と第３帯片とを直線状に伸展させるが、該伸展部分の帯片に大きな張力が加わると、その張力が第２帯片の起立点部付近（第１帯片と第２帯片との接着部付近）に集中し、第１帯片が紙おむつ外面５１に対して第２帯片の接着部付近から剥がれ易くなる。特に、ツマミ片を摘まんで第１帯片側に引くと、第１帯片の紙おむつ外面５１に対する接着部は、第２帯片の起立点部から比較的容易に剥離することがある。尚、乳幼児等の介護者は、後処理テープＹのツマミ片を故意に接着部剥離方向に強く引っ張ることはないが、乳幼児では遊び感覚でツマミ片を上記接着部剥離方向に引っ張ることあり、その場合は第１帯片が紙おむつ外面５１から比較的容易に剥がされることがある。
【０００７】
本願発明は、上記のように、後処理テープ（第１帯片）が紙おむつ外面から剥がれ易いという従来の問題点に鑑み、不用意に扱っても該後処理テープが剥がれないようにできる紙おむつの後処理テープ及び後処理テープ付き紙おむつを提供することを目的としている。
【課題を解決するための手段】
【０００８】
本願発明は、上記課題を解決するための手段として次の構成を有している。
【０００９】
本願請求項１の発明
本願請求項１の発明は、紙おむつの廃棄時に紙おむつを丸めた状態で保持するための後処理テープを対象にしている。
【００１０】
そして、この請求項１の後処理テープは、基部側となる第１帯片と中間部側となる第２帯片と先部側となる第３帯片とを有している。
【００１１】
第１帯片と第２帯片と第３帯片は、それぞれ個別に裁断され且つそれぞれ片面全面に粘着剤を付着させたもので、粘着剤付着面同士を接合させると両帯片が強固に接着される一方で該粘着剤付着面と粘着剤非付着面を接合させると両帯片がある程度の保持力をもって接着されるものの比較的容易に剥離できる程度の接着力を有したものである。
【００１２】
尚、この第１〜第３の各帯片は、例えばビニール製の粘着テープを所定長さづつ裁断したものを使用できる。この種の粘着テープには、テープの片面全面に粘着剤が付着しており、第１〜第３の各帯片は、それらの粘着剤付着面同士を接着させることで強固に接着させることができる一方、粘着剤付着面を粘着剤非付着面に接着させたときには、ある程度の接着力を有するものの比較的容易に剥離できる程度の接着力しかない。
【００１３】
又、この後処理テープは、第１帯片の一端部の粘着剤付着面と第２帯片の一端寄り中間部の粘着剤付着面とを接着させ、第２帯片の他端部の粘着剤付着面と第３帯片の一端部の粘着剤付着面とを接着させて、第１帯片と第２帯片と第３帯片とを順次屈伸可能なる状態でＺ状に連結している。尚、第３帯片の先端部（自由側端部）には、指で摘まみ易くするためのツマミ片を取付けるとよい。
【００１４】
さらに、この後処理テープでは、第２帯片が第１帯片から起立する起立点部に、第１帯片の延出方向とは反対側に延出する所定長さの補強帯片を第２帯片から一体に延出させている。
【００１５】
尚、第１帯片と補強帯片（第２帯片からの延出部）の各粘着剤付着面は、剥離可能な剥離シートで被覆しておくことができる。
【００１６】
この請求項１の紙おむつの後処理テープは、それ単独で提供したり、あるいは紙おむつに添えて（非取付状態で）提供することができる。そして、この後処理テープは、使用済みの紙おむつを廃棄する際に、該紙おむつ外面に取付けて使用できる。即ち、この後処理テープは、汚れた紙おむつを廃棄するときに、第１帯片及び補強帯片（第２帯片からの延出部）の各粘着剤付着面を使用済み紙おむつの外面適所（ウエスト側縁部付近）に接着させる。その際、第２帯片及び第３帯片を伸展させたときに、該伸展帯片の所定長さ範囲が紙おむつのウエスト側縁部から超えてはみ出し得るような位置に取付ける。尚、伸展帯片のウエスト側縁部からのはみ出し長さは、５mm〜１２０mmの範囲で実施可能であり、その中でも３５mm〜６０mm程度が好ましい。この後処理テープの取付け状態では、第２帯片の基端部（起立点部）の前後各側に第１帯片と補強帯片（第２帯片からの延出部）とがそれぞれ紙おむつ外面に接着されている。
【００１７】
そして、汚れた紙おむつを股部側から丸め込み、第３帯片の先端部（自由側端部）を摘まんで第３帯片及び第２帯片を順次剥離させて直線状に伸展させ、その状態で第３帯片の粘着剤付着面をウエスト側縁部を超えた位置の紙おむつ外面に接着させる。すると、使用済み紙おむつを丸めた状態で維持させることができ、廃棄がし易くなる。
【００１８】
この第３帯片及び第２帯片の伸展作業時、及び該伸展帯片で紙おむつ外面の接着部分を引き寄せる（紙おむつを締め付ける）作業時等には、第２帯片の起立点部にかなりの引っ張り力が集中するが、該起立点部は、その両側において第１帯片と補強帯片とが紙おむつ外面に接着されているので、該両帯片の接着力によって起立点部に対する保持力が大きくなっている。又、該両帯片は、起立点部を両側から保持しているので、該起立点部に対する引っ張り方向が片寄っても（上下どちらから引っ張っても）、どちらかの帯片（引っ張り方向の反対側にある帯片）の保持力が強い状態で維持されるので、弱い側（剥離し易い側）の帯片が剥離するのを防止できる。
【００１９】
又、第１帯片と第２帯片の連結部、及び第２帯片と第３帯片の連結部は、それぞれ粘着剤付着面同士を接着させているので、その各接着部は強固に接着されている。従って、この後処理テープを紙おむつ外面に接着させた状態で第３帯片及び第２帯片を直線状に強く伸展させても、第１〜第３の各帯片の接着部が不用意に剥離することがない。
【００２０】
本願請求項２の発明
本願請求項２の発明は、上記請求項１の後処理テープにおいて、第２帯片の起立点部から第１帯片側の端部までの長さＬ1と、起立点部から補強帯片側の端部までの長さＬ2との関係を、２・Ｌ2≦Ｌ1≦３・Ｌ2に設定するとともに、補強帯片側の長さＬ2を１５mm〜２５mmの範囲に設定している。
【００２１】
第２帯片の起立点部の両側に第１帯片と補強帯片（第２帯片からの延出部）とをそれぞれ延出した後処理テープにおいて、起立点部から補強帯片側の端部までの長さＬ2は、１５mm〜２５mm程度あれば十分に保持力（剥離抵抗力）があり、又、起立点部から第１帯片側の端部までの長さＬ1を上記長さＬ2（１５mm〜２５mm）の２倍以上で３倍以下の範囲に設定すると、該第１帯片上に重合させる第２帯片の長さを長くできて、該第２帯片と第３帯片の合計長さ（伸展長さ）を十分に確保できるとともに、全体が必要以上に長くならない。例えば、補強帯片側の長さＬ2が最小の１５mmである場合、第１帯片側の最小長さＬ1が３０mmとなり、その場合、第２帯片の長さを３０mm、第３帯片の長さを４５mm（Ｌ2の１５mm＋第２帯片長さの３０mm）にそれぞれ設定できて、第２帯片と第３帯片の合計有効長さを７５mmにできる。又、補強帯片側の長さＬ2が最大の２５mmであると、第１帯片側の長さＬ1が最小で５０mm、最大で７５mmとなり、それに伴って第２帯片と第３帯片の合計長さが最小で１２５mm、最大で１７５mmとなる。尚、第２帯片と第３帯片の合計長さは、７５mm〜１７５mmの範囲で実施可能であるが、好ましく７５mm〜１２５mmである。
【００２２】
ところで、この種の後処理テープを、紙おむつのウエスト側縁部寄り位置に取付ける際に、該ウエスト側縁部には幅３０mm〜５０mm程度のシャーリング部（伸縮部）があって、そこには後処理テープを接着できない。従って、この後処理テープをウエスト側縁部付近に取付ける場合には、少なくとも該シャーリング部の幅だけ下方に控えた位置に取付ける必要がある。他方、第２帯片及び第３帯片を伸展させたときの伸展帯片のウエスト側縁部からのはみ出し長さは、上記したように５mm〜１２０mmの範囲で実施可能である（その中でも、好ましくは３５mm〜６０mm）。そして、このような条件から、第２帯片及び第３帯片を伸展させたときの伸展長さ（第２帯片の起立点部から第３帯片の先端部までの長さ）は、７５mm〜１７５mm（好ましくは７５mm〜１２５mm）の範囲にするとよいが、本願請求項２の上記条件（２・Ｌ2≦Ｌ1≦３・Ｌ2及び長さＬ2＝１５mm〜２５mm）で該各帯片の伸展長さを７５mm〜１７５mmに収めることができる。
【００２３】
本願請求項３の発明
本願請求項３の発明は、紙おむつの廃棄時に紙おむつを丸めた状態で保持するための後処理テープを取付けた後処理テープ付き紙おむつを対象にしている。
【００２４】
そして、この請求項３の発明の後処理テープ付き紙おむつは、上記請求項１の後処理テープを用い、該後処理テープの第１帯片及び補強帯片（第２帯片からの延出部）を、紙おむつ外面のウエスト側縁部寄り位置において上下に向く姿勢で、それぞれ粘着剤により紙おむつ外面に接着させている。
【００２５】
このように、後処理テープを予め紙おむつ外面に接着させておけば、紙おむつ使用後に直ちに第３帯片及び第２帯片を伸展させて使用できる。
【００２６】
又、この請求項３で使用されている後処理テープは、第２帯片の起立点部の両側を第１帯片と補強帯片（第２帯片からの延出部）で紙おむつ外面に接着させているので、請求項１での説明と同様に、後処理テープを紙おむつ外面に対して強固に保持させることができる。
【００２７】
さらに、この請求項３に使用されている後処理テープでも、第１帯片と第２帯片の連結部、及び第２帯片と第３帯片の連結部は、それぞれ粘着剤付着面同士を接着させているので、その各接着部は強固に接着されており、各帯片の伸展時に第１〜第３の各帯片の接着部が不用意に剥離することがない。
【００２８】
本願請求項４の発明
本願請求項４の発明は、上記請求項３の後処理テープ付き紙おむつにおいて、後処理テープとして上記請求項２のものを使用している。
【００２９】
即ち、この請求項４では、後処理テープとして、第２帯片の起立点部から第１帯片側の端部までの長さＬ1と、起立点部から補強帯片側の端部までの長さとの関係を、２・Ｌ2≦Ｌ1≦３・Ｌ2に設定する一方、起立点部から補強帯片側の端部までの長さ長さＬ2を１５mm〜２５mmの範囲にしたものを使用している。
【００３０】
又、この後処理テープは、第３帯片と第２帯片とを直線状に伸展させたときの起立点部から第３帯片の先端部までの長さを、紙おむつに取付た後処理テープの前記起立点部の取付け位置からウエスト側縁部の端縁までの長さより５mm〜１２０mm（好ましくは３５mm〜６０mm）だけ長くなるように設定している。
【００３１】
従って、この請求項４の後処理テープ付き紙おむつでは、請求項２の場合と同様に、補強帯片部分の接着範囲（長さＬ2＝１５mm〜２５mm）が十分に確保でき、且つ第２帯片と第３帯片との合計伸展長さも十分に確保できる（例えば合計伸展長さが７５mm〜１７５mmとなる）とともに、伸展帯片（第２帯片と第３帯片）におけるウエスト側縁部からはみ出す長さを十分に確保できる。
【発明の効果】
【００３２】
本願の各発明には、それぞれ次のような効果がある。
【００３３】
本願請求項１の発明の効果
本願請求項１の発明の紙おむつの後処理テープは、第１帯片と第２帯片と第３帯片とを順次Ｚ状に連結し、第２帯片が第１帯片から起立する起立点部に該第１帯片の延出方向とは反対側に延出する所定長さの補強帯片（第２帯片からの延出部）を連続させ、さらに第１帯片と補強帯片に紙おむつ外面に接着させ得る粘着剤を付着させている。
【００３４】
そして、この後処理テープは、使用済み紙おむつの廃棄時に紙おむつ外面に取付けて使用するが、第２帯片の起立点部の上下両側を第１帯片と補強帯片でそれぞれ紙おむつ外面に接着させることができる。従って、この後処理テープを使用すると、該両帯片の接着力によって起立点部に対する保持力を大きくでき、伸展帯片（第２帯片と第３帯片）を強く引っ張っても、紙おむつ外面への接着部分が剥がれにくくなるという効果がある。又、第１帯片と補強帯片を紙おむつ外面に接着させた状態では、各帯片で起立点部を上下両側から保持でき、伸展帯片を上下どちらから引っ張っても、引っ張り方向の反対側にある帯片の保持力が強い状態に維持されるので、弱い側の帯片が剥離作用を受けないという効果もある。
【００３５】
又、第１〜第３の各帯片は、それぞれ片面全面に粘着剤を付着させたもので、その各帯片の粘着剤付着面同士を接合させると両帯片が強固に接着されるような接着力を有している。そして、第１帯片と第２帯片、及び第２帯片と第３帯片を、それぞれ粘着剤付着面同士で接着させているので、その各接着部は強固に接着されている。従って、この後処理テープでは、紙おむつ外面に接着させた状態で第３帯片及び第２帯片を直線状に強く伸展させても、第１〜第３の各帯片の接着部が不用意に剥離することがなく、各帯片を接着により連続させてなる後処理テープであっても強靭性を確保できるという効果がある。
【００３６】
又、この後処理テープでは、不使用時には第１〜第３の各帯片がＺ状に折畳まれて、各帯片の接合面は一方の粘着剤付着面と他方の粘着剤非付着面とが接合しているが、この接合部分は容易に剥離できる程度の接着力であるので、上記のように粘着剤付着面同士の接合により強固に接着し得るようにしたものであっても、各帯片を伸展させる作業がしにくくならない。
【００３７】
本願請求項２の発明の効果
本願請求項２の発明では、上記請求項１の後処理テープにおいて、第２帯片の起立点部から第１帯片側の端部までの長さＬ1と、起立点部から補強帯片側の端部までの長さＬ2との関係を、２・Ｌ2≦Ｌ1≦３・Ｌ2に設定するとともに、補強帯片側の長さＬ2を１５mm〜２５mmの範囲に設定している。
【００３８】
この請求項２の後処理テープでは、上記請求項１の効果に加えて、補強帯片部分の保持力を十分に確保できるとともに、使用時の伸展帯片（第２帯片と第３帯片）の長さを十分に確保できるという効果がある。
【００３９】
本願請求項３の発明の効果
本願請求項３の発明の後処理テープ付き紙おむつは、上記請求項１の後処理テープを使用し、該後処理テープの第１帯片及び補強帯片を、紙おむつ外面のウエスト側縁部寄り位置において上下に向く姿勢で紙おむつ外面にそれぞれ粘着剤で接着させている。
【００４０】
この請求項３の後処理テープ付き紙おむつに使用されている後処理テープは、第２帯片の起立点部を挟んでその両側を第１帯片と補強帯片（第２帯片からの延出部）で紙おむつ外面に接着させているので、請求項１での説明と同様に、後処理テープを紙おむつ外面に対して強固に保持させることができ、伸展帯片を強く引っ張っても紙おむつ外面への接着部分が剥がれにくくなるという効果がある。
【００４１】
本願請求項４の発明の効果
本願請求項４の発明は、上記請求項３の後処理テープ付き紙おむつにおいて、後処理テープとして上記請求項２のものを使用し、さらに該後処理テープは、第３帯片と第２帯片とを直線状に伸展させたときの起立点部から第３帯片の先端部までの長さを、紙おむつに取付た後処理テープの前記起立点部の取付け位置からウエスト側縁部の端縁までの長さより５mm〜１２０mm（好ましくは３５mm〜６０mm）だけ長くなるように設定している。
【００４２】
従って、この請求項４の後処理テープ付き紙おむつでは、上記請求項３の効果に加えて、請求項２の場合と同様に補強帯片部分の接着範囲（長さＬ2＝１５mm〜２５mm）を十分に確保でき、且つ第２帯片と第３帯片との合計伸展長さも十分に確保できる（例えば合計伸展長さが７５mm〜１７５mmとなる）とともに、伸展帯片（第２帯片と第３帯片）におけるウエスト側縁部からはみ出す長さを十分に確保できるという効果がある。
【発明の実施の形態】
【００４３】
図１〜図７を参照して本願実施形態を説明すると、図３及び図４には本願第１実施形態の後処理テープを示し、図５〜図７には図３及び図４の後処理テープを用いた紙おむつの実施形態（第２実施形態）を示している。尚、本願の各実施形態の後処理テープＹは、図１に示すように、紙おむつ５０の外面５１におけるウエスト側縁部５２に近い位置に上下方向に向けて取付けられ、図２に示すように使用済み紙おむつ５０を丸めた状態で保持するのに使用される。
【００４４】
以下の説明で採用している各寸法は、それぞれ一例であって、本願はこれらの寸法に拘束されるものでなく、本願の要旨を変更しない範囲で適宜に設計変更できる。又、図４〜図７の各実施形態において、各材料片（１〜６）は、実際にはフイルム状の極薄テープであるが、理解し易くするためにかなりの厚さに表示している。
【００４５】
第１実施形態
図３及び図４に示す第１実施形態の後処理テープＹは、基部側となる第１帯片１と、中間部側となる第２帯片２と、先部側となる第３帯片３と、ツマミ片５と、剥離シート６とを基本部材として構成されている。尚、他の実施形態では、剥離シート６を省略する場合がある。又、この第１実施形態では、第２帯片２に後述する補強帯片４を一体に形成している。
【００４６】
第１〜第３の各帯片１，２，３は、例えばビニール製の粘着テープをそれぞれ所定長さづつ裁断したものを使用している。各帯片１，２，３の幅は１５mm程度である。この第１〜第３の各帯片１，２，３には、それぞれ片面全面に粘着剤１１，１２，１３が付着している。そして、この各帯片１，２，３は、粘着剤付着面同士を接着させると両者が強固に接着されるが、粘着剤付着面を粘着剤非付着面に接着させたときには、ある程度の保持力を有するものの比較的容易に剥離できる程度の接着力しかないものである。
【００４７】
第１帯片１の材料長さは約５４mmであり、該第１帯片１の左側端部には、粘着剤１１の付着面が外側になる状態で所定小長さ（例えば８mm程度）だけ上側に折り返した折返し部１ｂが形成されている。尚、この折返し部１ｂの上面にも粘着剤１１が付着している。
【００４８】
第２帯片２の材料長さは約６６mmであり、該第２帯片２の右側端部には、粘着剤１２の付着面が外側になる状態で所定小長さ（例えば１０mm程度）だけ上側に折り返した折返し部２ｂが形成されている。この折返し部２ｂの上面にも粘着剤１２が付着している。尚、図３及び図４には、第２帯片２の中間部（第１帯片１との連結部）に作図上、段差部を表示しているが、実際には第１帯片１は極薄なので、第２帯片２は全体としてフラットな形状となる。
【００４９】
第３帯片３の材料長さ約５４mmである。又、ツマミ片５の材料長さは約９mmである。尚、このツマミ片５は、他の帯片１，２，３と識別できるように異色のものを採用するとよい。
【００５０】
第１帯片１の左端部（折返し部１ｂ）は、第２帯片２の左寄り中間部の下面に連結されている。即ち、第１帯片１と第２帯片２は、第１帯片１の左端部の折返し部１ｂの範囲を第２帯片２の左寄り中間部下面に粘着剤１１，１２同士で接着させることで強固に連結している。そして、第２帯片２は、第１帯片１に対して連結部で屈伸可能となっている。尚、第２帯片２の第１帯片１に対する屈伸点が第２帯片２の起立点部Ｐとなる。
【００５１】
この起立点部Ｐの左側（第１帯片１とは反対側）には、補強帯片４が連続している。この補強帯片４は、第２帯片２を延長させて形成している。
【００５２】
図４において、起立点部Ｐから第１帯片１の端部１ａまでの長さＬ1は４６mmであり、起立点部Ｐから補強帯片４の端部４ａまでの長さＬ2は１６mmである。尚、この各長さ（Ｌ1＝４６mm，Ｌ2＝１６mm）は、本願請求項２及び４に記載した式「２・Ｌ2≦Ｌ1≦３・Ｌ2」に当てはまるものである。
【００５３】
第２帯片２の右端部（折返し部２ｂ）には、その上面側に第３帯片３の右端部が連結されている。この連結部も、各帯片２，３の粘着剤１２，１３同士が接着されているので、強固に連結している。そして、第３帯片３は、第２帯片２に対して連結部で屈伸可能となっている。
【００５４】
第３帯片３の左端部には、その下面側にツマミ片５が接着されている。このツマミ片５も第３帯片３に対して強固に接着されている。
【００５５】
第１帯片１の下面及び補強帯片４の下面には、それぞれ粘着剤１１，１４が付着している。そして、この実施形態では、第１帯片１の下面及び補強帯片４の下面（各粘着剤付着面）は、一連の剥離シート６で被覆している。
【００５６】
尚、図４において、第１帯片１と第２帯片２との間、及び第２帯片２と第３帯片３との間は、作図上わかり易くするためにそれぞれ間隔をあけた状態で表示しているが、実際には各帯片１，２，３の折畳み状態では、第２帯片２は第１帯片１に第２帯片２側の粘着剤１２で接着されており、第３帯片３は第２帯片２に第３帯片３側の粘着剤１３で接着されているので、第２帯片２又は第３帯片３がビラビラすることはない。
【００５７】
図３及び図４に示す第１実施形態の後処理テープＹは、使用時に剥離シート６を剥がし（符号６′）、ツマミ片５を摘まんで第３帯片３及び第２帯片２をそれぞれ鎖線図示（符号３′，２′）するように伸展させることができる。そして、この第１実施形態の後処理テープＹでは、第３帯片３と第２帯片２とを直線状に伸展させたときには、その伸展帯片の長さ（起立点部Ｐから第３帯片３の先端３ａまでの長さ）が９４mm程度となる。
【００５８】
第２実施形態
図５〜図７に示す第２実施形態は、第１実施形態（図３及び図４）の後処理テープＹを図１の紙おむつ５０に用いた後処理テープ付き紙おむつである。尚、図５は、図１のＶ−Ｖ断面相当図である。
【００５９】
そして、図５に示す第２実施形態の後処理テープ付き紙おむつでは、後処理テープＹ（剥離シート６を剥がしたもの）を上下方向に向けて紙おむつ外面５１におけるウエスト側縁部５２寄り位置に取付けている。この後処理テープＹの取付状態では、補強帯片４及び第１帯片１の各粘着剤付着面（符号１１，１４）がそれぞれ紙おむつ外面５１に接着しており、しかも該補強帯片４と第１帯片１とが第２帯片２の起立点部Ｐを挟んで上下に位置している。
【００６０】
ところで、図１及び図５〜図７に示すパンツ型の紙おむつ５０では、ウエスト側縁部５２に幅Ｍ1（Ｍ1＝３０mm程度）のシャーリング部（伸縮部）５３があって、そこには後処理テープＹの補強帯片４及び第１帯片１を接着できない。従って、この後処理テープをウエスト側縁部５２寄り位置に取付ける場合には、少なくとも該シャーリング部５３の幅Ｍ1だけ下方に控えた位置に取付ける必要がある。そして、図５〜図７の第２実施形態では、後処理テープＹの上端（補強帯片４の端部４ａ）をウエスト側縁部５２から長さＭ2（Ｍ2＝４０mm程度）だけ下方に控えて取付けている。又、この状態では、ウエスト側縁部５２から第２帯片２の起立点部Ｐまでの長さＭ3が５６mm程度になる。
【００６１】
他方、後処理テープＹの第２帯片２と第３帯片３は、図７に示すように直線状に伸展させた状態で、その伸展帯片の長さＬ5（図７のＬ3＋Ｌ4）が９４mm程度になる。従って、この第２実施形態の後処理テープ付き紙おむつでは、第２帯片２及び第３帯片３を直線状に伸展させたときの伸展帯片の長さＬ5（９４mm）が、ウエスト側縁部５２から第２帯片２の起立点部Ｐまでの長さＭ3（５６mm）より３８mm程度長くなる。この長さＬ5（９４mm）と長さＭ3（５６mm）の差（３８mm）は、図２に示すように丸めた紙おむつを保持するのときのウエスト側縁部５２からのはみ出し長さとなる（接着代となる）。尚、この伸展帯片のウエスト側縁部５２からのはみ出し長さ（３８mm）は、請求項４に記載の好ましい範囲「３５mm〜６０mm」に当てはまるものである。
【００６２】
この第２実施形態の後処理テープ付き紙おむつでは、第２帯片２の起立点部Ｐの上下各側に補強帯片４と第１帯片１とがそれぞれ粘着剤１４，１１により紙おむつ外面５１に接着されている。
【００６３】
そして、使用済み紙おむつ（図１）を廃棄するときには、図２に示すように該紙おむつ５０を股部側から丸め込み、ツマミ片５を摘まんで第３帯片３及び第２帯片２を順次剥離させて直線状に伸展させ、その状態で第３帯片３の粘着剤付着面をウエスト側縁部５２を超えた位置の紙おむつ外面５１に接着させる。
【００６４】
ところで、第３帯片３及び第２帯片２の伸展作業時、及び該伸展帯片で紙おむつ外面の接着部分を引き寄せる（紙おむつを締め付ける）作業時等には、第２帯片２の起立点部Ｐにかなりの引っ張り力が集中するが、該起立点部Ｐは、その上下において補強帯片４と第１帯片１とが紙おむつ外面５１に接着されているので、該両帯片１，４の接着力によって起立点部Ｐに対する保持力が大きくなっている。又、該両帯片１，４は、起立点部Ｐを両側から保持しているので、該起立点部Ｐに対する引っ張り方向が片寄っても（上下どちらから引っ張っても）、どちらかの帯片（引っ張り方向の反対側にある帯片）の保持力が強い状態で維持されるので、弱い側の帯片が剥離作用を受けないという機能を有する。
【００６５】
又、この後処理テープＹでは、第２帯片２の起立点部Ｐから第１帯片１側の端部１ａまでの長さＬ1と、起立点部Ｐから補強帯片４側の端部４ａまでの長さＬ2との関係を、２・Ｌ2≦Ｌ1≦３・Ｌ2に設定するとともに、補強帯片４側の長さＬ2を１５mm〜２５mmの範囲に設定しているが、このようにすると、補強帯片４部分の保持力を十分に確保できると同時に、使用時の伸展帯片の長さＬ5（第２帯片２と第３帯片３の合計有効長さ）を十分に確保できる。
【図面の簡単な説明】
【００６６】
【図１】  本願が対象にしている後処理テープ付き紙おむつの正面図である。
【図２】  図１の紙おむつの廃棄時の説明図である。
【図３】  本願第１実施形態の後処理テープの斜視図である。
【図４】  図３のIV−IV断面図である。
【図５】  本願第２実施形態の後処理テープ付き紙おむつの一部拡大断面図（図１のＶ−Ｖ相当の拡大断面図）である。
【図６】  図５の分解説明図である。
【図７】  図５からの状態変化図である。
【符号の説明】
【００６７】
１は第１帯片、１ａは端部、２は第２帯片、３は第３帯片、４は補強帯片、４ａは端部、５はツマミ片、６は剥離シート、１１〜１４は粘着剤、５０は紙おむつ、５１は紙おむつ外面、５２はウエスト側縁部、Ｙは後処理テープ、Ｐは起立点部である。
【図１】
0004059688.tif 000002
【図２】
0004059688.tif 000003
【図３】
0004059688.tif 000004
【図４】
0004059688.tif 000005
【図５】
0004059688.tif 000006
【図６】
0004059688.tif 000007
【図７】
0004059688.tif 000008